(57)【要約】【課題】  フィルタ部材の搭載位置がフィルタ部材を挿入するための開口部に対して上方にずれている送風機ユニットにおいて、フィルタ部材の組付作業性を改善することを目的とする。【解決手段】  フィルタ部材（８）の挿入方向前方に形成され、フィルタ部材（８）を搭載位置（Ａ）で支持する支持部（１２ｂ）と、支持部（１２ｂ）よりもフィルタ部材挿入用開口部（９）側に配され、フィルタ部材（８）の挿入方向前方となるにつれて搭載位置側となるように傾斜するテーパ面（１２ａ）とを有し、蓋部材（６）は送風機ケース（２、３）の内側に向けて突出し、送風機ケース（２、３）内においてフィルタ部材（６）の挿入方向の後端部の下側（８ｂ）に当接して後端部をフィルタ部材（８）の搭載位置（Ａ）で支持する蓋側支持部（１３ｂ）を備えるようにする。【選択図】      図１
2006044483.tif 000002
【特許請求の範囲】
【請求項１】
車室内に通じる内気導入口（４）と、車室外に通じる外気導入口（５）とが形成され、前記内気導入口（４）と前記外気導入口（５）とを選択的に開閉する内外気切替手段（７）と、前記内気導入口（４）または前記外気導入口（５）とから空気を吸込む送風ファンとが配置される送風機ケース（２、３）と、
前記送風機ケース（２、３）内において、前記内外気切替手段（７）と前記送風ファンとの間に配置され、前記内気導入口（４）または前記外気導入口（５）から前記送風機ケース（２、３）内に流入した空気が通過するフィルタ部材（８）と、
前記送風機ケース（２、３）に形成され、前記フィルタ部材（８）が挿入されるフィルタ部材挿入用開口部（９）と、
前記フィルタ部材挿入用開口部（９）を塞ぐ蓋部材（６）とを備え、
前記フィルタ部材（８）が、前記フィルタ部材挿入用開口部（９）よりも前記内外気切替手段（７）側となる搭載位置（Ａ）に搭載される送風機ユニットにおいて、
前記送風機ケース（２、３）は、前記フィルタ部材（８）の挿入方向前方に形成され、前記フィルタ部材（８）を前記搭載位置（Ａ）で支持する支持部（１２ｂ）と、
前記支持部（１２ｂ）よりも前記フィルタ部材挿入用開口部（９）側に配され、前記フィルタ部材（８）の挿入方向前方となるにつれて前記搭載位置側となるように傾斜するテーパ面（１２ａ）とを有し、
前記蓋部材（６）は前記送風機ケース（２、３）の内側に向けて突出し、前記送風機ケース（２、３）内において前記フィルタ部材（６）の挿入方向の後端部の下側（８ｂ）に当接して前記後端部を前記フィルタ部材（８）の搭載位置（Ａ）で支持する蓋側支持部（１３ｂ）を備えることを特徴とする送風機ユニット。
【請求項２】
前記蓋部材（６）を前記送風機ケース（２、３）に組付ける前において、前記フィルタ部材（８）の後端部の下側（８ｂ）と、前記フィルタ部材挿入用開口部（９）との間に、前記蓋側支持部（１３ｂ）の先端が挿入される隙間（１４）を設ける仮支持部材（１５）を備えることを特徴とする請求項１に記載の送風機ユニット。
【請求項３】
前記蓋側支持部（１３ｂ）は、突出方向となるにつれて高さが低くなる蓋側テーパ面（１３ａ）を有することを特徴とする請求項１または請求項２に記載の送風機ユニット。
【発明の詳細な説明】
【技術分野】
【０００１】
本発明はフィルタ部材を備えた送風機ユニットに関するものである。
【背景技術】
【０００２】
送風機ユニットのケース側壁に形成された開口部からフィルタ部材を挿入する車両用空調装置の送風機ユニットにおいて、送風機ユニット内に搭載される送風ファンの空気吸込口とフィルタ部材との間の距離が近いと、フィルタ部材を通過する空気の風速分布が偏ってしまい、フィルタ部材の通風抵抗が増加する。その結果、送風機ユニットの吹出し風量が低下し、送風機ユニットから発生する騒音が増加するという問題が発生する。
【０００３】
送風ファンの空気吸込口とフィルタ部材との間の距離を遠ざけるためにフィルタ部材を送風機ユニット内のより高い位置に配置すると、フィルタ部材を挿入するための開口部もフィルタ部材の搭載位置に合わせて送風機ケースの側壁のより高い位置に形成されることになる。
【０００４】
ところが、送風機ユニットが助手席側にオフセット配置されるセミセンタ置きの車両用空調装置においては、送風機ユニットの側方上部にグローブボックスが配置されるので、フィルタ部材の搭載位置に合わせて、フィルタ部材を挿入するための開口部を送風機ケース側壁のより高い位置に形成すると、フィルタ部材を挿入する際にフィルタ部材が上記グローブボックスと干渉してしまうという問題が生じる。
【０００５】
一方、特許文献１には、送風機ケース側壁に設けられた補助内気取入口を、フィルタ挿入用の開口部として兼用させた送風機ユニットが記載されている。
【０００６】
図６（Ａ）は特許文献１に記載された送風機ユニット１００の構成を示す断面模式図であり、図６（Ｂ）は送風機ユニット１００に挿入されるフィルタ部材Ｆを斜め上方から見た図である。尚、この送風機ユニットは、フィルタ部材Ｆの搭載位置がフィルタ部材Ｆを挿入する補助内気取入口１０１に対して上方にずれているものである。
【０００７】
この送風機ユニット１００にフィルタ部材Ｆを組付ける場合には、図６（Ａ）に二点鎖線で示すように、フィルタ部材Ｆを補助内気取入口１０１に挿入し、フィルタ部材Ｆの先端部１０５を、切替箱１０２のフィルタ部材Ｆの搭載位置の内壁から突出するように設けられた板状の棚部１０３に載せて支持するとともに、切替箱１０２内で図６（Ｂ）に示す把持部１０６を手で持って、フィルタ部材Ｆの後端部を持ち上げることで係止部１０４と切替箱１０２内の突起１０７とを係合させて、フィルタ部材Ｆを切替箱１０２内の搭載位置に固定する。
【０００８】
この特許文献１に記載の送風機ユニットによれば、フィルタ部材の搭載位置と送風ファンの空気吸込口との間の距離を離して配置しても、フィルタ部材Ｆの搭載位置がフィルタ部材Ｆを挿入する補助内気取入口１０１に対して上方にずれているので、フィルタ部材の搭載位置よりも下方に形成された補助内気取入口１０１からフィルタ部材を挿入することができ、フィルタ部材がグローブボックス等と干渉してしまうという問題を防ぐ事が可能である。
【特許文献１】特開平９−１０９６６０号公報
【発明の開示】
【発明が解決しようとする課題】
【０００９】
上記特許文献１に記載の送風機ユニットでは、フィルタ部材Ｆの先端部１０５を棚部１０３に載せることによって切替箱１０２内に取り付けている。しかしながら、棚部１０３は切替箱１０２内のフィルタ部材Ｆの挿入方向前方に形成されているため、挿入作業時に作業者は棚部１０３の位置を確認することができないといった問題点を有していた。
【００１０】
本発明はこのような問題点に鑑みてなされたもので、フィルタ部材の搭載位置がフィルタ部材を挿入するための開口部に対して上方にずれている送風機ユニットにおいて、フィルタ部材の組付作業性を改善することを目的とする。
【課題を解決するための手段】
【００１１】
上記課題を解決するため、請求項１に記載の発明では、車室内に通じる内気導入口（４）と、車室外に通じる外気導入口（５）とが形成され、内気導入口（４）と外気導入口（５）とを選択的に開閉する内外気切替手段（７）と、内気導入口（４）または外気導入口（５）とから空気を吸込む送風ファンとが配置される送風機ケース（２、３）と、送風機ケース（２、３）内において、内外気切替手段（７）と送風ファンとの間に配置され、内気導入口（４）または外気導入口（５）から送風機ケース（２、３）内に流入した空気が通過するフィルタ部材（８）と、送風機ケース（２、３）に形成され、フィルタ部材（８）が挿入されるフィルタ部材挿入用開口部（９）と、フィルタ部材挿入用開口部（９）を塞ぐ蓋部材（６）とを備え、フィルタ部材（８）が、フィルタ部材挿入用開口部（９）よりも内外気切替手段（７）側となる搭載位置（Ａ）に搭載される送風機ユニットにおいて、送風機ケース（２、３）は、フィルタ部材（８）の挿入方向前方に形成され、フィルタ部材（８）を搭載位置（Ａ）で支持する支持部（１２ｂ）と、支持部（１２ｂ）よりもフィルタ部材挿入用開口部（９）側に配され、フィルタ部材（８）の挿入方向前方となるにつれて搭載位置側となるように傾斜するテーパ面（１２ａ）とを有し、蓋部材（６）は送風機ケース（２、３）の内側に向けて突出し、送風機ケース（２、３）内においてフィルタ部材（６）の挿入方向の後端部の下側（８ｂ）に当接して後端部をフィルタ部材（８）の搭載位置（Ａ）で支持する蓋側支持部（１３ｂ）を備えることを特徴とする。
【００１２】
これにより、フィルタ部材（８）の挿入方向の先端部を、テーパ面（１２ａ）に沿ってフィルタ部材（８）の搭載位置（Ａ）まで移動させ、フィルタ部材（８）を支持部（１２ｂ）と蓋側支持部（１３ｂ）によって搭載位置（Ａ）で支持することができるので、目視による確認を必要とすることなく、フィルタ部材（８）を所定の搭載位置（Ａ）に組み付けることができる。
【００１３】
また、請求項２に記載の発明は、請求項１に記載の発明において、蓋部材（６）を送風機ケース（２、３）に組付ける前において、フィルタ部材（８）の後端部の下側（８ｂ）と、フィルタ部材挿入用開口部（９）との間に、蓋側支持部（１３ｂ）の先端が挿入される隙間（１４）を設ける仮支持部材（１５）を備えることを特徴とする。
【００１４】
これにより、仮支持部材（１５）によって形成された隙間（１４）に蓋側支持部（１３ｂ）の先端部を挿入することができ、容易にフィルタ部材（８）の後端部の下側（８ａ）に蓋側支持部（１３ｂ）が当接するように蓋部材（６）を組付けることができる。
【００１５】
また、請求項３に記載の発明は、請求項１または請求項２に記載の発明において、蓋側支持部（１３ｂ）は、突出方向となるにつれて高さが低くなる蓋側テーパ面（１３ａ）を有することを特徴とすることを特徴とする。
【００１６】
これにより、蓋部材（６）を組付ける作業と同時にフィルタ部材（８）の後端部が蓋側テーパ面（１３ａ）によってフィルタ部材（８）の搭載位置（Ａ）まで押し上げられるので、更にフィルタ部材（８）の組付作業性を改善することができる。
【００１７】
尚、上記各手段に付した括弧内の符号は、後述する実施形態記載の具体的手段との対応関係を示す一例である。
【発明を実施するための最良の形態】
【００１８】
（本実施形態の構成）
以下、本実施形態の構成を図１ないし図５を用いて説明する。図１は本実施形態における送風機ユニット１を横から見た図であり、図１中の矢印で示す方向で車両に搭載される。
【００１９】
送風機ユニット１は、左ハンドル車に搭載される車両用空調装置を構成するものであり、送風機ユニット１の図示しない空気吹出口から吹出した空気は、図示しない空調ユニット内に導入され、所望の温度に空調された後に、図示しない車室内に向けて吹出される。尚、空調ユニットは、図１の紙面奥手方向に配置される。
【００２０】
本実施形態の送風機ユニット１は、内外気切替箱２と、ファンスクロール３とから構成される。
【００２１】
内外気切替箱２は、上方に車室内に通じる内気導入口４と、車室外に通じる外気導入口５とが形成され、側壁に後述するエアフィルタ（本発明のフィルタ部材）８が挿入されるエアフィルタ挿入用開口部（本発明のフィルタ部材挿入用開口部）９が形成された箱状のケース部材である。尚、本実施形態の内外気切替箱２には底面が設けられておらず、内外気切替箱２の下方に位置する後述するファンケーシング３に設けられた略四角形の上面３ｃ（図２参照）が内外気切替箱２の内部に面している。
【００２２】
内外気切替箱２内には、内気導入口４と外気導入口５とを選択的に開閉する内外気切替ドア７と、内気導入口４または外気導入口５から内外気切替箱２内に流入した空気が通過するエアフィルタ８とが配置されている。
【００２３】
外気導入口５の周囲にはパッキン５ａが貼り付けられている。内外気切替ドア７は、両面にシステックス製のドアパッキン７ａが配置された板状のドア本体が回転軸７ｂを中心に回動するドアである。
【００２４】
エアフィルタ挿入用開口部９は、内外気切替箱２の車両後方側の側壁に開口した四角形の開口部であり、後述する蓋部材６によって外側から閉じられるものである。尚、エアフィルタ挿入用開口部９は上下方向の寸法が、エアフィルタ８の上下方向の寸法と、後述する仮支持部材１５が突出する上下方向の寸法を足し合わせた寸法以上となるように形成されている。
【００２５】
エアフィルタ８は内外気切替ドア７の下方で、後述する送風ファンの上方に配置されており、エアフィルタ８の搭載位置（Ａ）は、エアフィルタ挿入用開口部９に対して上方にずれている。尚、エアフィルタ８は、例えば濾紙と活性炭からなる濾過材を所定の形状に裁断し、波状に連続的に折り曲げて成形されている。
【００２６】
次に、ファンスクロール３について説明する。渦巻状のファンスクロール３は、上記内外気切替箱２の下方に位置しており、上側スクロールケース３ａと下側スクロールケース３ｂとから構成される。ファンスクロール３の内部には内気導入口４または外気導入口５から内外気切替箱２に導入された空気を吸込む遠心式の送風ファンと、この送風ファンを駆動するブロワモータとが配置される。尚、上側スクロールケース３ａと下側スクロールケース３ｂはスプリングホールディング１０で固定されている。
【００２７】
図２はスクロールケース３を斜め上方から見た斜視図である。上側スクロールケース３ａには、略四角形状の上面３ｃが設けられている。この上面３ｃには、スクロールケース３の内部に配置される送風ファンの吸込口に対応する位置に空気吸込口１１が形成されており、上記エアフィルタ８はこの空気吸込口１１から３０ｍｍ以上上方のエアフィルタ搭載位置（Ａ）に空気流と略直交するように搭載されている。
【００２８】
また、上面３ｃの車両前方側の両側方に２箇所、上記エアフィルタ８の搭載位置（Ａ）まで突出するケース側フィルタ支持部材１２が設けられている。また、上面３ｃの車両後方側（エアフィルタ挿入用開口部９の近傍側）には、エアフィルタ８の搭載位置（Ａ）よりも低い高さで上下方向に突出する仮支持部材１５が設けられている。
【００２９】
ケース側フィルタ支持部材１２は、エアフィルタ８の挿入方向前方側に形成され、エアフィルタ８の挿入方向先端部の下側８ａに当接して、挿入方向先端部の下側８ａを上記エアフィルタ搭載位置（Ａ）で支持するケース側支持部１２ｂと、ケース側支持部１２ｂよりもエアフィルタ挿入用開口部９側に配され、エアフィルタ８の挿入方向前方側となるにつれて搭載位置（Ａ）側となるように傾斜するケース側テーパ面１２ａとからなる。
【００３０】
図４はエアフィルタ８の挿入途中の状態を示す図である。上記ケース側テーパ面１２ａによって、エアフィルタ８をエアフィルタ挿入用開口部９から車両前方側に向けて挿入すると、エアフィルタ８の先端部がケース側テーパ面１２ａに沿ってケース側フィルタ支持部材１２の上側（支持部１２ｂ）まで移動するので、このケース側テーパ面１２ａによってエアフィルタ８の先端部の下側８ａがケース側フィルタ支持部材１２の上側まで導かれるため、エアフィルタ８の組み付け作業時に作業者はケース側支持部１２ｂの位置を確認しなくても所定の搭載位置（Ａ）にエアフィルタ８を組み付けることができる。
【００３１】
また、２箇所設けられたケース側フィルタ支持部材１２の間には、上側スクロールケース３ａの上面３ｃから車両上下方向にエアフィルタ８の搭載位置（Ａ）まで突出する突出部１２ｄが２箇所設けられている。この突出部１２ｄはエアフィルタ８の中央部が空気吸込み口１１側に撓んでしまうことを防止するものである。さらに、ケース側支持部１２ｂには、エアフィルタ８の挿入方向と直行する方向に延びる補強壁１２ｃがそれぞれ２箇所ずつ形成されている。
【００３２】
仮支持部材１５は、後述する蓋部材６を内外気切替箱２に組付ける前において、エアフィルタ８の後端部の下側８ｂとエアフィルタ挿入用開口部９の下側の縁との間に、後述する蓋側フィルタ支持部材１３の先端が挿入される隙間１４を設けるものであり、図５は蓋部材６を内外気切替箱２に組付けることによって、エアフィルタ挿入用開口部９を塞ぐ前の状態を示す図である。
【００３３】
尚、上記内外気切替箱２とファンケーシング３とは螺子などの固定手段で固定されており、本発明の送風機ケースとは、上記内外気切替箱２とファンケーシング３を合わせたものを指している。
【００３４】
次に、蓋部材６について説明する。図１に示すように、エアフィルタ挿入用開口部９は蓋部材６によって内外気切替箱２の外側から閉じられている。図３は蓋部材６を車両斜め前方から見た一部拡大斜視図である。
【００３５】
蓋部材６は、内外気切替箱２の内側に向けて突出した蓋側フィルタ支持部材１３が設けられている。この蓋側フィルタ支持部材１３は、内外気切替箱２内において、エアフィルタ８の挿入方向後端部の下側８ｂに当接してエアフィルタ８の後端部を搭載位置（Ａ）で支持する蓋側支持部１３ｂと、蓋側支持部１３ｂの突出方向となるにつれて高さが低くなる蓋側テーパ面１３ａとを有している。そして、蓋側テーパ面１３ａを上述した仮支持部材１５によって形成された隙間１４に挿入し、エアフィルタ挿入用開口部９を塞ぐように蓋部材６を内外気切替箱２へ組付けた場合、蓋側テーパ面１３ａによってエアフィルタ８が搭載位置Ａまで押上げられ、内外気切替箱２内において、蓋側支持部１３ｂがエアフィルタ８の挿入方向後端部の下側８ｂに当接することでエアフィルタ８が搭載位置（Ａ）で支えられる。
【００３６】
尚、図３は蓋部材６の一部拡大図であるため、蓋側フィルタ支持部材１３は一箇所のみ図示されているが、蓋部材６には、左右２箇所に蓋側フィルタ支持部材１３が設けられている。また、蓋部材１３の右端にはＵ字型の係合手段１３ｃが設けられており、このＵ字型の係合手段１３ｃによって内外気切替箱２に組付けられている。
【００３７】
（本実施形態の効果）
以上のように、本実施形態では、ケース側フィルタ支持部材１２に、フィルタ部材挿入用開口部９側が低く、ケース側支持部１２ｂに接続されるように傾斜したケース側テーパ面１２ａを設けたので、エアフィルタ８をエアフィルタ挿入用開口部９から挿入するだけで、エアフィルタ８の先端部がケース側テーパ面１２ａよってケース側支持部１２ｂまで移動する。このケース側テーパ面１２ｂによってエアフィルタ８の先端部の下側８ａがケース側支持部１２ｂの上側まで導かれるため、エアフィルタ８の組み付け作業時に、作業者はケース側支持部１２ｂの位置を確認しなくても、エアフィルタ８を所定の搭載位置（Ａ）に搭載することができる（図４参照）。
【００３８】
また、仮支持部材１５によってエアフィルタ８の後端部の下側８ｂとエアフィルタ挿入用開口部９との間に隙間１４を設けたので、容易にエアフィルタ８の後端部の下側８ｂとエアフィルタ挿入用開口部９の下側の縁との間に蓋側フィルタ支持部材１３の先端（本実施形態では蓋側テーパ面１３ａの先端）を挿入することができる（図５参照）。
【００３９】
そして、蓋側フィルタ支持部材１３に蓋側テーパ面１３ａを設けたので、隙間１４に蓋側フィルタ支持部材１３の蓋側テーパ面１３ａの先端を挿入するように蓋部材６を組付けると、エアフィルタ８の後端部が、蓋側テーパ面１３ａによって押し上げられ、蓋側支持部１３ｂによってエアフィルタ８の搭載位置（Ａ）で支持されるので、エアフィルタ８の組付け作業性をさらに改善することができる。
【００４０】
（他の実施形態）
上記実施形態では、エアフィルタ挿入用開口部９の形状を四角形としたが、本発明はこれに限定されるものではなく、エアフィルタ挿入用開口部９の下側の縁の形状を、一部上方に突出するような凹凸形状となるように形成し、蓋部材６の組付け前において、エアフィルタ８の後端部の下側８ｂとエアフィルタ挿入用開口部９との間に、上記凹凸形状の凹部によって隙間１４を設けるようにしてもよい。尚、この場合、本発明の仮支持部材１５は、上記凹凸形状の凸部に相当する。
【００４１】
また、上記実施形態では、エアフィルタ挿入用開口部９を内外気切替箱２の車両後方側の側壁に形成したが、本発明はこれに限定されるものではなく、エアフィルタ挿入用開口部９を、内外気切替箱２の車両後方側の側壁下端に設けた切欠き部と、上側スクロールケース３ａの上面３ｃの縁によって形成するようにしてもよい。
【００４２】
また、上記実施形態では、ケース側テーパ面１２ａとケース側支持部１２ｂとが一体化されたケース側フィルタ支持部材１２を用いたが、本発明はこれに限定されるものではなく、ケース側テーパ面１２ａとケース側支持部１２ｂとが分離された形状としてもよい。
【図面の簡単な説明】
【００４３】
【図１】本実施形態における送風機ユニット１を横から見た図である。
【図２】上側スクロールケース３ａを斜め上方から見た斜視図である。
【図３】蓋部材６を車両斜め前方から見た一部拡大斜視図である。
【図４】エアフィルタ８をエアフィルタ挿入用開口部９から内外気切替箱２内に挿入途中の状態を示す図である。
【図５】蓋部材６によってエアフィルタ挿入用開口部９を外側から塞ぐ前の状態を示す図である。
【図６】従来の送風機ユニットの構成を示す断面図である。
【符号の説明】
【００４４】
１      送風機ユニット
２      内外気切替箱
３      ファンスクロール
６      蓋部材
８      エアフィルタ
９      エアフィルタ挿入用開口部
１２    ケース側フィルタ支持部材
１２ａ  ケース側テーパ面
１２ｂ  ケース側支持部
１３    蓋側フィルタ支持部材
１３ａ  蓋側テーパ面
１３ｂ  蓋側支持部
１４    隙間
１５    仮支持部材
【図１】
2006044483.tif 000003
【図２】
2006044483.tif 000004
【図３】
2006044483.tif 000005
【図４】
2006044483.tif 000006
【図５】
2006044483.tif 000007
【図６】
2006044483.tif 000008